(57)【要約】【課題】  不正行為が及びにくい基板ボックスの封止構造を実現する。【解決手段】  パチンコ機等の基板ボックスを外ケース体２ａと内ケース体２ｂとを組み合わせて構成し、その一部に封止部４を形成する。封止部４には挿入穴６が形成されており、この挿入穴６に封止ねじ等を挿入して外ケース体２ａと内ケース体２ｂとを相互に締結し、その開放を不能にする。また適宜、挿入穴６内に蓋部材を挿入して封止ねじをカバーし、その取り外しが困難な構造とする。このため、基板ボックス２を開放する際は封止部４を破壊する必要があり、その痕跡を確実に残しておくことが出来る。【選択図】    図３
2005040377.tif 000002
【特許請求の範囲】
【請求項１】
遊技動作を制御するための制御回路が形成された制御基板と、少なくともボックス本体とこれに組み合わされるカバー体との間に前記制御基板を収容可能な基板ボックスとを備えた遊技機において、
前記基板ボックスに形成され、所定の締結具を用いて前記ボックス本体と前記カバー体とを相互に締結することで前記基板ボックス内を開放不能に封止する封止部と、
前記封止部に形成され、前記締結具を挿入するための挿入穴と、
前記締結具による締結がなされた状態で前記挿入穴に挿入されることにより、前記挿入穴の出入口からみて前記締結具を遮蔽する蓋部材と
を具備したことを特徴とする遊技機。
【発明の詳細な説明】
【技術分野】
【０００１】
本発明は例えば、弾球式遊技機や回胴式遊技機等において遊技動作の制御を行う制御基板が収容された基板ボックスの封止技術に関する。
【背景技術】
【０００２】
従来から、この種の基板ボックス（または基板収納ボックス、基板ケース等）を封止ねじ等により開放不能に封止するとともに、その締結後において封止ねじの頭部を何らかの手段により遮蔽することで、封止ねじへの工具の寄り付き（アクセス）をできなくする技術が知られている。例えば公知の技術として、基板ボックスを封止ねじで締め付けた後に、その差し込み穴に封止栓を挿入するもの（特許文献１参照）や、平板状の蓋で穴を塞ぐもの（特許文献２，３参照）、パチンコ球・球体等で穴を塞ぐもの（特許文献４，５参照）、あるいは、差し込み方向に突き出た爪・突起等を穴に係止させて穴を塞ぐもの等がある（特許文献６，７参照）。
【０００３】
【特許文献１】特開平９−２７６５１６号公報（第１頁、図６）
【特許文献２】特開平１１−２１４８６６号公報（第１頁、図３、図５）
【特許文献３】特開２０００−３００７２０号公報（第１−３頁、図１）
【特許文献４】特開平１０−２１６３２３号公報（第１頁、図７、図８）
【特許文献５】特開平１０−３３７３６７号公報（第９頁、図１３Ｄ）
【特許文献６】特開２０００−１０２６５９号公報（第１−４頁、図１、図８）
【特許文献７】特開平１０−２６３１７１号公報（第５頁、図７）
【発明の開示】
【発明が解決しようとする課題】
【０００４】
上述した公知の技術はいずれも、基板ボックスの封止ねじを締め付けた後はこれを外部から操作できなくすることで、基板ボックスが開放された場合にその痕跡を明確にとどめようとするものである。すなわち、何らかの理由で基板ボックスの封止を解除する際は、既に締め付け済みの封止ねじを緩めるのではなく、その近傍の部位を破壊しなければ基板ボックス内を開放できない構造となっている。したがって、例えば公安機関の検査に応じるために基板ボックスが開放された場合は、その破壊の痕跡とともに公的な検査記録が残される。これに対し、制御基板を不正改造するために基板ボックスが開放された場合は、公安機関による検査記録がないにもかかわらず破壊の痕跡だけが残されるため、これにより何らかの不正がなされたことが一目瞭然となる。
【０００５】
しかしながら、上述した公知の技術による不正対策はいずれも万全というわけではなく、依然として少しずつ改良の余地が残されている。例えば、封止ねじの差し込み穴に封止栓を挿入する技術（特許文献１）やパチンコ球・球体等を穴に嵌め殺しする技術（特許文献４，５）は、その挿入作業が大がかりで手間がかかるし、単なる平板状の蓋で穴を塞ぐ技術（特許文献２，３）は蓋の剥離行為に対してやや無力である。さらに、差し込み方向に突き出た爪や突起を穴に係止させた構造（特許文献６，７）では、その爪や突起の根元部分を穴の外側から摘んでこれらをむりやり変形させれば、その係止を解除することができてしまうという構造上の問題がある。
【０００６】
そこで本発明は、より不正対策の進んだ基板ボックスの封止構造を簡易に実現できる技術の提供を課題としたものである。
【課題を解決するための手段】
【０００７】
本発明の遊技機は、その基本的な構成として遊技動作を制御するための制御回路が形成された制御基板と、少なくともボックス本体とこれに組み合わされるカバー体との間に制御基板を収容可能な基板ボックスとを備えている。したがって、遊技機の型式には特に限定がなく、パチンコ機に代表される弾球式遊技機や、スロットマシン等の回胴式遊技機、無端ベルト式遊技機等の各種の形態が含まれる。また制御基板には、遊技機による遊技動作を制御するための制御回路が形成されており、ここで実行されるプログラムにしたがって遊技が進行するものとなっている。
【０００８】
基板ボックスは、その内部に制御基板を収容可能な大きさや形状を有しており、少なくともボックス本体およびカバー体を組み合わせて構成される。これらボックス本体やカバー体は必ずしも同一の形状・構造を有する必要はなく、例えば容器状のボックス本体に対して着脱・スライドが可能なカバー体が組み合わされる態様であってもよい。また、ボックス本体とカバー体とは相互に分離可能であってもよいし、あるいはこれらがヒンジ等の連結手段により開閉可能に連結されていてもよい。いずれにしても、ボックス本体およびカバー体（個々のパーツが複数でもよい）を組み合わせることにより基板ボックスが構成され、その内部に制御基板が収容される。
【０００９】
（解決手段１）
上記の課題を解決するための具体的手段として、本発明の遊技機は基板ボックスに形成され、所定の締結具を用いてボックス本体とカバー体とを相互に締結することで基板ボックス内を開放不能に封止する封止部と、この封止部に形成された締結具を挿入するための挿入穴と、締結具による締結がなされた状態で挿入穴に挿入されることにより、その出入口からみて締結具を遮蔽する蓋部材とを備えている。
【００１０】
上記のボックス本体およびカバー体を組み合わせて基板ボックス内を形成し、その内部に制御基板を収容した状態でボックス本体およびカバー体が締結具により互いに締結される。この締結を行うために基板ボックスには封止部が形成されており、この封止部にて締結が行われると、基板ボックス内が開放不能に封止される。また封止部には挿入穴が形成されており、この挿入穴に締結具が挿入されると、締結具への工具の寄り付きは挿入穴の出入口を通じて行われる。
【００１１】
締結具による締結がなされると、挿入穴に蓋部材を挿入するだけで締結具が出入口方向に遮蔽される。この状態で、蓋部材は締結具への工具の寄り付きを不能にし、その操作を禁止することができる。また蓋部材は、挿入穴に挿入された状態で容易に抜け出すことはないので、これを不正に取り出すことは相当困難になる。
【００１２】
（解決手段２）
より具体的な解決手段として、上述の蓋部材はその挿入方向とは逆向きに延びる少なくとも一対の係止片を有しており、さらに挿入穴は、蓋部材が挿入されるのに伴い一対の係止片を互いに近接する方向に案内してこれらに弾性変形を与える案内部と、蓋部材が所定の係止位置まで挿入されたとき、一対の係止片に与えた弾性変形を復元させることでその挿入方向の後側で一対の係止片に係合する係合部とを含んでいる。
【００１３】
上述した蓋部材の挿入容易性やその抜け止めは、一対の係止片により実現される。すなわち、単に蓋部材を挿入穴に挿入していくだけで一対の係止片が案内部に案内されて容易に弾性変形し、その結果、一対の係止片が互いに近接（縮径）するため、前もって一対の係止片どうしの間隔を狭めておく必要がない。この点、公知の技術のように蓋部材がその挿入方向に突出した爪や突起を有する構造である場合、これらを摘むなりして予めその間隔を狭めておく必要があり、準備作業がきわめて繁雑であるが、本発明では蓋部材をそのまま挿入穴に押し入れるだけでよいため作業が簡単である。
【００１４】
さらに蓋部材は、これをそのまま挿入穴に押し入れていくだけで所定の係止位置（締結具を遮蔽する位置）まで到達し、ここで一対の係止片がその弾性で自然に復元して挿入穴内の係合部に係合する。このとき係合部は挿入方向の後側で係止片に係合するため、この後に係止片を外部（出入口の方向）から操作しようとしても、係合部が障害となって係止片の係合をはずすことができなくなる。このため蓋部材を係止位置まで挿入した後にこれを挿入穴から抜き取るのは至難であり、きわめて不正が及びにくい構造となる。
【００１５】
この点についても、公知の技術のように蓋部材から突出する爪や突起を先頭にして挿入穴に差し込む構造である場合、これらの根元（基端）部分が出入口から近い位置にあるため外部からの操作が及びやすい。例えば、挿入穴にピンセット等を挿入して両側の爪（または突起）の根元部分を内側へ押さえ付ける（摘む）ようにすれば、その先端部の係合を解除して蓋部材を抜き取ることが可能となってしまう。これに対し、本発明の構造では外部からの操作で係止片を変形させることはきわめて困難であり、不正が及びにくい構造であるといえる。
【００１６】
（解決手段３）
より実用的な態様として、蓋部材は係止位置まで挿入された状態で締結具を遮蔽する本体部分を含み、一対の係止片は本体部分から片持ち梁状に延びてその一部が弾性変形可能であり、かつ、これらが対向して挟み込まれることで蓋部材の摘み部となることが好ましい。この場合、蓋部材を挿入穴に挿入する際に一対の係止片を摘みとして利用できるため、蓋部材の挿入作業が容易となる。また蓋部材は、その本体部分により締結具への不正な操作を抑止することができるので、この本体部分を強固な構造とすることで締結具をより強力にガードすることができる。
【００１７】
（解決手段４）
また、一対の係止片は末広状に拡開して延びており、蓋部材が挿入穴に挿入されたとき、一対の係止片が挿入穴の内壁に沿って互いの間隔を狭める方向に弾性変形するものであってもよい。この場合、挿入穴に蓋部材を挿入するだけで、その内壁に一対の係止片が案内されて自然に弾性変形することができるので、特に案内部の形状を特殊なものにする必要がない。
【００１８】
（解決手段５）
一対の係止片が末広状に拡開した形態である場合、挿入穴の出入口の開口縁部に形成されて蓋部材の挿入時に一対の係止片を案内する案内溝を含む態様が好ましい。この場合、一対の係止片が案内溝に案内されてスムーズに弾性変形できるので、蓋部材を挿入する際の押し込み力が軽減される。また一対の係止片が案内溝に嵌り込むことで、挿入穴に対して蓋部材が位置決めされるので、この後、単に蓋部材を押し入れていくだけで容易に係止位置まで蓋部材を押し込むことができる。
【００１９】
（解決手段６）
さらに挿入穴の係合部は、蓋部材が係止位置まで挿入されたときに一対の係止片を受け入れることでこれらが末広状に拡開するのを許容し、かつ、その挿入方向と逆方向への一対の係止片の変位を規制する係合溝を含む態様が好ましい。これにより、蓋部材を係止位置で確実に係止することができるし、また、係止片が係合溝に嵌り込んだときにその弾性力で係止片が係合溝を叩くので、このとき明瞭なクリック音を発生させることができる。このため作業者は、クリック音が発生したことで蓋部材が確実に係止されたことを容易に認識することができるので、蓋部材の押し込みが不十分になることはない。
【００２０】
（解決手段７）
また本発明において、蓋部材は金属板から成形されている態様が好ましい。この場合、蓋部材を板金加工により容易に製作することができるし、また基板ボックスへの取り付け後にたばこの火（熱）で溶解されることがないため、樹脂製の蓋部材に比較すると不正対してより強く、また耐久性も高くなる。
【発明の効果】
【００２１】
本発明の遊技機は、蓋部材に対する不正行為がきわめて及びにくい構造であり、基板ボックスが開放された場合はその開封痕が確実に残されるため、制御基板の不正な改造を強力に抑止することができる。
【発明を実施するための最良の形態】
【００２２】
以下、パチンコ機を例に挙げて本発明を実施するための形態について説明する。ただし本発明の遊技機はパチンコ機等に限定されず、その型式を各種変形して実施可能であることは既に述べたとおりである。
【００２３】
図１は、パチンコ機に用いられる遊技盤１をその背面から示している。公知のように、遊技盤１はその前面に遊技領域を有しており、この遊技領域には遊技球の案内レールをはじめ多数の障害釘、風車、各種入賞口、各種役物、装飾ランプ、装飾体、図柄表示装置等（いずれも図示されていない）が配置されている。
【００２４】
一方、図１に示されているように遊技盤１の背面には基板ボックス２が装着されており、この基板ボックス２内には制御基板（例えば主基板）が収容されている。この制御基板には、ＣＰＵをはじめとしてＲＡＭやＲＯＭ、カウンタ等からなる制御回路が形成されており、この制御回路ではパチンコ機の遊技動作を制御するための制御プログラムが実行されている。なお、制御基板については公知のものを適用できるため、ここでは図示とともにその説明を省略する。
【００２５】
図２は、基板ボックス２を具体的に示している。この例の基板ボックス２は横長の外形を有しており、図１のように長辺部分を天地にした状態で遊技盤１に装着される。また基板ボックス２は外ケース体２ａおよび内ケース体２ｂを有し、図示の例では外ケース体２ａと内ケース体２ｂとを前後に組み合わせた状態で基板ボックス２が構成されている。このうち一方の外ケース体２ａは、遊技盤１から離れた外側に取り付けられ、これに他方の内ケース体２ｂが遊技盤１の背面側から覆い被さるようにして取り付けられるものとなっている。これら外ケース体２ａおよび内ケース体２ｂは、そのいずれか一方がボックス本体となり、他方がカバー体となるものであるが、本実施形態の場合は特に制約されていない。したがって、外ケース体２ａがボックス本体となり、内ケース体２ｂがカバー体となることもできるし、逆に外ケース体２ａがカバー体となり、内ケース体２ｂがボックス本体となることもできる。いずれにしても、少なくとも外ケース体２ａと内ケース体２ｂとを組み合わせることで１つの基板ボックス２が構成される。
【００２６】
基板ボックス２の両側端部には、それぞれ上寄りの位置に封止部４が形成されている。これら封止部４はいずれも箱形状をなし、基板ボックス２の両側端から側方に向けて耳状に突出している。
【００２７】
図３および図４は、一方（この例では右側）の封止部４を具体的に示している。図４に示されているように、封止部４もまた基板ボックス２と同様に外ケース体２ａと内ケース体２ｂとを組み合わせることで構成されており、それゆえ外内のケース体２ａ，２ｂにはそれぞれ封止部４の一部となる突出部４ａ，４ｂが形成されている。
【００２８】
また図３，４に示されているように、封止部４には複数（この例では４つ）の挿入穴６が形成されている。これら挿入穴６は縦方向に一列をなしており、個々の挿入穴６は封止部４内を水平方向（この例では前後方向）に貫通して延びている。図３，４には最上段の挿入穴６についてのみ詳しく示されているが、挿入穴６は図でみて手前側（遊技盤１から離れる側）に位置する突出部４ａ内では断面角形状をなし、逆に奥側（遊技盤１に近い側）に位置する突出部４ｂ内では断面円形状をなしている。
【００２９】
図５および図６は、外ケース体２ａおよび突出部４ａの内面形状、つまり、図４に示される外ケース体２ａをその反対側（内ケース体２ｂの方向）からみた形状を示している。外ケース体２ａの突出部４ａにおいては、互いに隣接する挿入穴６の間に３本の横溝８が形成されており、これら横溝８は、図５に示される突出部４ａの内面から挿入穴６に沿って水平方向（遊技盤１の背面方向）に延びている。ただし、横溝８は突出部４ａの外面にまで達しておらず、それゆえ突出部４ａの外面部分には所定の肉厚が残されている。また突出部４ａには、挿入穴６の列に沿って縦長に延びる縦溝９が形成されており、上述した横溝８はいずれも縦溝９につながっている。この縦溝９も同様に、突出部４ａの外面にまでは達していない。
【００３０】
その他、図５，６に示されているように突出部４ａの内面には挿入穴６の周囲に突出するボス部４ｃが形成されている。一方、図３，４に示されているように内ケース体２ｂの突出部４ｂにはその内面に凹所４ｄが形成されており、これら凹所４ｄは挿入穴６の周囲に拡がっている。それゆえ外ケース体２ａと内ケース体２ｂとが互いに組み合わされたとき、突出部４ａ，４ｂの内面が相互に密着するとともに、個々のボス部４ｃが対応する凹所４ｄ内に嵌り込むものとなっている。
【００３１】
図７から図９は、封止部４の構造を具体的に示している。先ず図７に示されているように、外ケース体２ａと内ケース体２ｂとが組み合わされた状態で封止部４が形成され、そして、このとき封止部４内を貫通する挿入穴６が形成される。この状態で、封止部４では挿入穴６に外ケース体２ａの外面の方向から締結具１０が挿入され、この締結具１０により外ケース体２ａと内ケース体２ｂとが相互に締結されるものとなっている。
【００３２】
より具体的には、締結具１０はワンウェイビス１０ａとアンカーピン１０ｂとを組み合わせて構成されており、これらはアンカーピン１０ｂを先頭にして挿入穴６に挿入される。またアンカーピン１０ｂには、そのねじ込み口の周囲に角フランジ部１０ｃが形成されており、この角フランジ部１０ｃは挿入穴６内で外ケース体２ａの最も奥に位置する中間底面６ａに突き当たり、そこでアンカーピン１０ｂの挿入を停止させる。このときアンカーピン１０ｂは、角フランジ部１０ｃから先の円筒形状の部分だけが中間底面６ａを超えて内ケース体２ｂの内部まで挿入される。
【００３３】
さらに挿入穴６への挿入方向でみて、アンカーピン１０ｂの先端部分には切り割れ（例えば４分割）が形成されており、この切り割れの内部には先細のテーパ孔が形成されている。このため図８，９に示されているように、アンカーピン１０ｂの先端部分はワンウェイビス１０ａのねじ込みによって径方向に拡開するものとなっている。
【００３４】
ここで、既に述べたように挿入穴６は内ケース体２ｂの突出部２ｂ内では断面円形状をなしており、また、ここでは挿入穴６が段付き穴形状（この例では３段）に形成され、その内径は締結具１０の挿入方向でみて奥に行くほど大きく形成されている。このため、アンカーピン１０ｂの先端部分が拡開すると、その外面が挿入穴６の段付き部分の内壁６ｂに当接してその抜け出しを防止する。これにより、封止部４において外ケース体２ａと内ケース体２ｂとが相互に締結される結果、基板ボックス２が開放不能に封止されることとなる。
【００３５】
上述のように締結具１０により基板ボックス２が封止された後、さらに挿入穴６に蓋部材１２が挿入される（図８参照）。この蓋部材１２は挿入穴６の出入口からみて締結具１０を遮蔽することで、特にワンウェイビス１０ａに対する工具の寄り付き（アクセス）を不可能にすることができる（図９参照）。
【００３６】
図１０は、蓋部材１２をより具体的に示している。蓋部材１２は例えば金属板から成形することができる。また蓋部材１２は矩形をなす平板状の本体部分１２ａを有し、この本体部分１２ａの一組の対辺には両側一対のフランジ部１２ｂが形成されている。これらフランジ部１２ｂは本体部分１２ａからほぼ直角に折れ曲がるようにして形成されており、これにより蓋部材１２の剛性が高められている。さらに、もう一組の対辺には両側一対の係止片１２ｃが形成されており、これら係止片１２ｃもまた本体部分１２ａから折れ曲がるようにして形成されている。
【００３７】
このような蓋部材１２を挿入穴６に挿入する際は、例えば図８に示されるように先端に磁石の付いた挿入用工具Ｔを用意することが望ましい。工具Ｔは作業の利便のため柄付きのものとし、この工具Ｔの先端に蓋部材１２の本体部分１２ａを吸着させる。このとき係止片１２ｃが工具Ｔの方を向くようにしておけば、そのままの状態で蓋部材１２を挿入穴６に挿入することができる。また、このような工具Ｔを使用することで、例えばピンセット等で係止片１２ｃを摘む必要がなく、挿入の作業性が向上する。特に蓋部材１２は比較的小サイズであるため、磁石等による吸着を利用すればその取り扱いがきわめて利便となる。
【００３８】
また図７に示される断面から明らかなように、一対の係止片１２ｃは挿入穴６への挿入方向とは逆向きに延びている。特にこれら係止片１２ｃは先端に向かうにつれて末広状に拡開しており、一対の係止片１２ｃの間でみて、これらの最大間隔Ｄは挿入穴６の内法Ｈよりも大きく設定されている（Ｄ＞Ｈ）。
【００３９】
このため蓋部材１２が挿入穴６に挿入されるとき、その出入口の開口縁に一対の係止片１２ｃの外面が当接して最初の引っ掛かりを生じる。ここからさらに蓋部材１２が押し込まれると、図８に示されているように一対の係止片１２ｃは挿入穴６の内壁６ｃ（案内部）に沿って案内され、これにより一対の係止片１２ｃは互いに近接する方向に弾性変形を与えられる。なお、本実施形態では挿入穴６の出入口の開口縁部に案内溝６ｅが対をなして形成されており、これら案内溝６ｅは係止片１２ｃにそれぞれ対応して形成されている。また案内溝６ｅは、係止片１２ｃの幅Ｗより僅かに大きい幅寸法を有している。したがって、蓋部材１２の挿入時に係止片１２ｃが案内溝６ｅに案内されてスムーズに弾性変形するため、そのまま蓋部材１２を挿入穴６内に押し込む作業が容易となる。
【００４０】
挿入穴６の内壁６ｃには、その奥寄りの位置に係合溝６ｄが両側で対をなして形成されており、これら係合溝６ｄもまた係止片１２ｃの幅Ｗより僅かに大きい幅寸法を有している。また、これら係合溝６ｄは挿入穴６の中間底面６ａから出入口に向かって直線状に延びており、その末端は挿入穴６の途中に位置付けられている。図８の状態から蓋部材１２がワンウェイビス１０ａの頭部の直上位置まで押し込まれると、図９に示されているようにこの位置で一対の係止片１２ｃがちょうど両側の係合溝６ｄにそれぞれ嵌り込むことができるものとなっている。
【００４１】
このとき一対の係止片１２ｃはその弾性力で自然に元の姿勢に復元するため、ここで末広状に拡開した状態になることを許容される。さらに一対の係止片１２ｃは、その先端がちょうど係合溝６ｄの末端に係合し、この状態で一対の係止片１２ｃは挿入方向と逆向きへの変位が規制される。このため蓋部材１２は、ワンウェイビス１０ａの頭部直上の位置がその係止位置となり、この係止位置で締結具１０を確実に遮蔽することができる。
【００４２】
また、係止位置で係止片１２ｃが係合溝６ｄに係合すると、係止片１２ｃが弾性力で拡開する際に係合溝６ｄの溝底面を叩き、これにより明瞭なクリック音が発生する。このため作業者は、このクリック音を確認するだけで蓋部材１２が確実に係止位置で係止されたことを認識することができ、あらためて蓋部材１２の係止状態を調べ直す必要がない。
【００４３】
上述のように蓋部材１２が係止位置で係止されると、この後はそのまま工具Ｔを引き抜くだけで磁石による吸着が容易に解除され、挿入穴６内には蓋部材１２だけが残った状態となる。なお、蓋部材１２は１つの基板ボックス２について２つずつ使用し、その両側の封止部４にそれぞれ蓋部材１２が取り付けられる。
【００４４】
一方、係止位置にある蓋部材１２を挿入穴６の出入口からみた場合、その係止片１２ｃの先端が係合溝６ｄ内に嵌り込んで隠れた状態にあるため、出入口の方向から係止片１２ｃを引っ張ったり、あるいはピンセット等を用いて一対の係止片１２ｃを摘んだりすることはきわめて困難となる。また言うまでもなく、挿入穴６の反対側はアンカーピン１０ｂによって塞がれているため、そこから係止片１２ｃに何らかの操作を加えることは全くできない。
【００４５】
さらに、本実施形態では蓋部材１２が金属板から成形されているため、その加工が容易であるばかりでなく、熱にも強い耐性を有している。このため、例えば不正を意図する者がたばこの火やライターの炎を近づけたとしても、蓋部材１２を溶損させることはできない。
【００４６】
このように、本実施形態では蓋部材１２に対する不正が及びにくいため、これを除去した上でさらにワンウェイビス１０ａを緩めることは相当な困難をきわめる。したがって、何らの痕跡を残すことなく基板ボックス２を開放することは事実上不可能に近いといえる。
【００４７】
また本実施形態の場合、上述の案内溝６ｅがその奥に位置する係合溝６ｄと同一線上に形成されているため、蓋部材１２の挿入時に一対の係止片１２ｃの向きを案内溝６ｄに合わせていれば、そのまま蓋部材１２を挿入穴６に押し込んでいくだけで一対の係止片１２ｃを係合溝６ｄに確実に係合させることができる。このため、蓋部材１２を挿入する前に係合溝６ｄの位置を目視で確認する必要がなく、より作業性に優れたものとなる。
【００４８】
図１１および図１２は、基板ボックス２の好ましい開放手順例を示している。基板ボックス２を開放する際は、図１１に示されているように最初に封止部４に形成されている三角形状の突起１４を切除する。このとき外ケース体２ａの前面に開口が形成され、この開口を通じて上述の横溝８および縦溝９の一部が前面に露出される。
【００４９】
次に所定の切断線ＣＬ１，ＣＬ２に沿って突出部４ａを切断し、その前面の開口から上面および側面までを全て切り離す。なお、このとき切断作業を容易にするため、突出部４ａの側面に切欠Ｎを設けておいてもよい。
【００５０】
切断線ＣＬ１，ＣＬ２に沿って突出部４ａを切断し終えると、図１２に示されるように外ケース体２ａと内ケース体２ｂとが分離可能となる。このとき締結具１０は内ケース体２ｂに残されたままとなっており、その周囲にはもともと外ケース体２ａの一部であったものが依然として分離されることなく締結されている。
【００５１】
この後に再度、基板ボックス２を封止する場合は残った挿入穴６（例えば上から２段目）に締結具１０を挿入して外ケース体２ａおよび内ケース体２ｂを相互に締結し、さらに蓋部材１２を挿入してこれを確実に遮蔽する。したがって、何らかの理由で基板ボックス２を開放した場合は常にその痕跡が明確に残るので、そこに公安機関の検査に伴う公的記録がない場合は不正に基板ボックス２が開放されたことが一目瞭然となる。
【００５２】
本発明は上述した一実施形態に制約されることなく、各所に変形を伴って実施が可能である。
図１３は、一例として挿入穴６を変形した場合の実施形態を示している。この場合、挿入穴６には係合溝６ｄが形成されておらず、代わりに両側一対の係合突起６ｆが形成されている。これら係合突起６ｆはいずれも内壁６ｃから内側に突出しており、図示のように蓋部材１２が係止位置にある状態でその係止片１２ｃに係合突起６ｆが係合している。
【００５３】
図１３の実施形態の場合、蓋部材１２の挿入時に一対の係止片１２ｃがほとんど弾性変形しないか、あるいは僅かに弾性変形するだけであり、これらは係合突起６ｆに当接して始めて大きく弾性変形することとなる。この場合、蓋部材１２の押し込みによって一対の係止片１２ｃがそれぞれ対応する係合突起６ｆを乗り越えると、その弾性変形が復元することで係合突起６ｆに係合することができる。なお、係合突起６ｆは挿入穴６の出入口に近い位置に内壁６ｃから内側に向けて下る傾斜面を有しているため、この傾斜面に沿って係止片１２ｃを良好に案内することができる。ただし、このような傾斜面が特に形成されていなくても、単に蓋部材１２を押し込むだけで係止片１２ｃが容易に弾性変形することは言うまでもない。
【００５４】
次に図１４は、異なる形態の蓋部材１６を示している。この場合、蓋部材１６は円形平板状の本体部分１６ａを有するほか、その周縁に沿った曲面形状のフランジ部１６ｂを有している。また同様に、蓋部材１６は挿入穴６への挿入方向でみて逆向きに延びる一対の係止片１６ｃを有しており、これら係止片１６ｃは挿入方向と逆向きに末広状となって拡開している。図１４の形態の蓋部材１６を用いた場合であっても、最初の一実施形態と同様に不正の及びにくい構造を実現することができる。なおこの場合、外ケース体２ａにおいても蓋部材１６の外形に合わせて挿入穴６を断面円形状に成形することが好ましい。
【００５５】
一実施形態では、基板ボックス２の両側縁部に２箇所の封止部４が形成されているが、特に封止部４の位置や個数に制約はない。また、封止部４にある挿入穴６の数は必要に応じて増減することができるし、その配列方向が限定されているものでもない。
【００５６】
また一実施形態では、外ケース体２ａと内ケース体２ｂとが分割可能な構造であるが、これらはヒンジ（セルフヒンジを含む）等の連結手段によって連結されるものであってもよい。この場合も同様に、外ケース体２ａと内ケース体２ｂとが互いに開閉可能な部位に封止部４を形成することにより、一実施形態と同様に基板ボックス２内を封止することができる。
【００５７】
さらに外ケース体２ａは、内ケース体２ｂに対してスライド式に着脱可能な構造であってもよいし、外内のケース体２ａ，２ｂはその一方だけがボックス形状であり、他方が単に板形状のものであってもよい。例えば、内ケース体２ｂを図示のものとは異なるボックス形状とし、その開口部をスライド板形状の外ケース体２ａによりスライド式に閉じて制御基板を収容する態様であってもよい。この場合、封止部４はボックス形状の内ケース体２ｂとスライド板形状の外ケース体２ａとの間に形成される。
【００５８】
また、一実施形態では封止部４が基板ボックス２と一体に成形されているが、封止部４は基板ボックス２と別体の構造であってもよいし、外ケース体２ａまたは内ケース体２ｂのいずれか一方だけと一体の部分を有する構造であってもよい。
【００５９】
一実施形態で挙げた締結具１０の構成はあくまで好ましい例示であり、締結具１０にはその他の構成も含まれる。したがって、例えばワンウェイビス１０ａだけで外ケース体２ａと内ケース体２ｂとを相互にねじ留めする構造であってもよいし、締結具１０としてボルト・ナットの組み合わせを用いるものであってもよい。
【００６０】
また、一実施形態では係止片１２ｃが一対だけ設けられているが、係止片１２ｃの配置や個数にも特に制約はない。したがって、蓋部材１２の周囲に複数対の係止片１２ｃが設けられていてもよいし、非対称に係止片１２ｃが配列されていてもよい。
【００６１】
さらに図７〜図９において、係合溝６ｄの末端（下端）は挿入穴６の中間底面６ａまで到達している必要はなく、係止位置で係止片１２ｃを受け入れ可能であれば特にその長さに制約はない。
【００６２】
また挿入穴６には、内壁６ｃの全ての面に係合溝６ｄを形成することもできるので、特に蓋部材１２の挿入時に係止片１２ｃの向きを係合溝６ｄに合わせなくても、そのまま無作為に蓋部材１２を挿入するだけで確実に係止片１２ｃを係合溝６ｄに係合させることができる。
【００６３】
その他、上述の各実施形態では制御基板として主基板を挙げているが、基板ボックス２には主として遊技の進行に伴う演出を制御するための制御基板（例えばサブ基板、演出制御基板等）や液晶制御基板等を収容することもできる。
【図面の簡単な説明】
【００６４】
【図１】遊技盤の背面図である。
【図２】基板ボックスの斜視図である。
【図３】封止部を拡大して示した斜視図である。
【図４】封止部の分解斜視図である。
【図５】外ケース体をその内面側から示した斜視図である。
【図６】外ケース体の背面図である。
【図７】図２中、ＶＩＩ−ＶＩＩ線に沿う断面により封止部の構造を示した図である。
【図８】図７と同様の断面により、挿入穴に蓋部材が挿入されたときの状態を示した図である。
【図９】図８の状態から蓋部材が係止位置まで押し込まれたときの状態を示した図である。
【図１０】蓋部材の斜視図である。
【図１１】基板ボックスの開封手順を説明するための図である。
【図１２】基板ボックスの開封手順を説明するための図である。
【図１３】図７から図９とは異なる形態の封止部を示した図である。
【図１４】蓋部材の変形例を示した斜視図である。
【符号の説明】
【００６５】
２    基板ボックス
２ａ  外ケース体
２ｂ  内ケース体
４    封止部
６    挿入穴
６ｃ  内壁（案内部）
６ｄ  係合溝（係合部）
６ｅ  案内溝
１０    締結具
１２    蓋部材
１２ａ  本体部分
１２ｃ  係止片
【図１】
2005040377.tif 000003
【図２】
2005040377.tif 000004
【図３】
2005040377.tif 000005
【図４】
2005040377.tif 000006
【図５】
2005040377.tif 000007
【図６】
2005040377.tif 000008
【図７】
2005040377.tif 000009
【図８】
2005040377.tif 000010
【図９】
2005040377.tif 000011
【図１０】
2005040377.tif 000012
【図１１】
2005040377.tif 000013
【図１２】
2005040377.tif 000014
【図１３】
2005040377.tif 000015
【図１４】
2005040377.tif 000016